(57)【要約】      （修正有）【課題】従来の口紅容器の外観、形状、基本構造、寸法を保留し、固定杯上部に露出している部分の口紅が使い終ってから固定杯中に差し込まれた部分の口紅を押し出し、完全に口紅を使い切ることを実現する。【解決手段】固定杯１内の底部円盤が注射器のように固定杯１の内側を上部まで移動可能な分離式構造となっている。外層管３は二段式の構造になっており従来使えなかった固定杯１内差し込み部分の口紅を完全に押し出すことができ「口紅を完全に使い切る」ことが実現できる口紅容器である。【選択図】図１
2013165942.tif 000002
【特許請求の範囲】
【請求項１】
本発明は、口紅を完全に使いきることができる口紅容器であり、この容器は蓋と容器本体の二つの部分からなり蓋を容器本体に被せたり外したりすることが出来る。
本発明の口紅容器には外層管、外層壁の内側には螺旋溝があり、中層回転管、回転管の壁には垂直溝があり、一番内側に口紅を差し込むための固定杯があります。外層管が中層回転管と相対回転することが可能で、中層回転管の底部と接続固定している底座を持って回転させると、固定杯が螺旋溝と垂直溝に沿って回転しながら上下移動する。
固定杯は底部円盤と筒部が分離構造であり、固定杯の筒部の壁には垂直溝があり、その溝の真下に第一昇降ボタンがある。第一昇降ボタンが中層回転管の垂直溝を通りぬけ外層管の内側の螺旋溝に嵌る。
固定杯の底部円盤の外側に第二昇降ボタンがあり、第二昇降ボタンが固定杯の筒部の壁にある垂直溝と中層回転管の垂直溝を通りぬけ、外層螺旋溝の内側にある螺旋溝に嵌る。
第一・第二昇降ボタンが上下に接触した状態で垂直溝と螺旋溝のガイドで回転しながら上下に移動する。底部円盤の中心には口紅を固定する座がある。
外層管は上・下二段で構成され、下段の外層管の内側にある螺旋溝の幅は第一・第二昇降ボタンが並列移動することが可能な溝幅がある。上段の外層管の螺旋溝は第二昇降ボタンが単独移動するだけの溝幅である。
中層回転管を回転すると、第一・第二昇降ボタンが並列して上昇し、固定杯が上へ持ち上がり、第二ボタンが上段の螺旋溝に入り、上段の螺旋溝は第二昇降ボタンが単独で移動するだけの幅しかないので第一ボタンは下段の螺旋溝の最上部に停留される。これで固定杯が上昇する最高点となり、その上段の外層管と中層回転管を反対方向で同時に回転させると底部円盤にある第二昇降ボタンが固定杯の筒に沿って上昇し、底部円盤が固定杯の一番上まで持ち上げられ、固定杯内に差し込んでいる口紅を全部押出すことができる。
【請求項２】
権利要求▲１▼の完全使い切り口紅容器、その特徴は、上段の外層管の内側最上部の壁に固定溝があり、その固定溝の高さに合わせて、中層回転管の外側に固定ボタンがあり、固定ボタンが固定溝にはまって上段の外層管を固定する。
【請求項３】
［請求項１，２］の完全使い切り口紅容器、その特徴は、外層管下段の螺旋線の下段傾斜度は上段の傾斜度より大きい。
【請求項４】
［請求項１，２］の完全使い切り口紅容器、その特徴は、第一昇降ボタンが垂直溝の真下に位置し、第二昇降ボタンが筒の垂直溝を通り、第一・第二ボタンが接触し、固定杯が最高点に昇降すると、上・下螺旋管の境線は第一・第二ボタンの接線と重なる。
【請求項５】
［請求項１，２］の完全使い切り口紅容器、その特徴は、固定杯筒部にある第一昇降ボタンと底部にある第二昇降ボタンの直径は同じで、円心は同一垂直線にある
【請求項６】
［請求項１，２］の完全使い切り口紅容器、その特徴は、固定杯の筒部の壁にある垂直溝の幅と中層回転管の垂直溝幅と同じで、第一・第二ボタンがピッタリと入り込む幅である。
【請求項７】
［請求項１，５］の完全使い切り口紅容器、その特徴は、底部円盤上にある口紅を固定する座は半楕円体であり口紅をこれに差し込み、この座で固定される。
【請求項８】
［請求項１，５，６］の完全使い切り口紅容器、その特徴は、固定杯内の底部円盤の高さは固定杯の高さの約１／３である。
【発明の詳細な説明】
【技術分野】
【０００１】本発明は口紅容器であり化粧品容器に属する。口紅を完全に使い切ることを実現する完全使い切り口紅容器である。
【背景技術】
【０００２】従来の口紅は紅本体の約１／３を固定杯に差し込み固定し、外層管が中層回転管と重なり、固定杯の昇降ボタンが中層回転管の垂直溝を通り、外層管の内側にある螺旋溝に嵌っている。中層回転管が底座と固定し底部が回転すると、昇降ボタンが垂直溝と螺旋溝に沿って回転しながら昇降し容器から口紅が出たり戻ったりします。しかし、従来の容器は固定杯上部口が中層回転管上部口と外層管上部口、この三つの口が重なり合う時、固定杯はこれ以上上昇することが出来なくなり固定杯から出ている口紅部分が全部押し出されても、固定杯に差し込まれている口紅約１／３が使用できるにもかかわらず固定杯内口紅が押しだされず、固定杯内に残り無駄になってしまう。
【発明の概要】
【０００３】本発明は口紅を完全に使いきることができる口紅容器である。
この口紅容器は、外層螺旋管、中層回転管、口紅本体を差し込む固定杯の三層構造である。
中層回転管の壁と固定杯の筒部に垂直溝があり、固定杯の筒部にある垂直溝の真下に第一昇降ボタンが設置され、第一昇降ボタンが中層回転管の垂直溝を通り抜け、外層管の内側螺旋溝に嵌る。底部円盤の外側に第二昇降ボタンが設置され、第二昇降ボタンが固定杯筒部の垂直溝と中層回転管の垂直溝を通り抜け、外層管の内側螺旋溝に嵌る。
外層管は上下二段式で、下段の溝を第一・第二昇降ボタンが並列移動が可能。上段の溝は第二昇降ボタンが単独移動する。
この容器の特徴は、従来の口紅容器の一体式固定杯と異なり、固定杯内の底部円盤が注射器のように固定杯の内側を上部まで移動可能な分離式構造となっている。外層管は二段式の構造になっており従来使えなかった固定杯内差し込み部分の口紅を完全に押し出すことができ「口紅を完全に使い切る」ことが実現できる口紅容器である。
【発明が解決しようとする課題】
【０００４】本発明は従来の口紅容器の外観、形状、基本構造、寸法を保留し、固定杯上部に露出している部分の口紅が使い終ってから固定杯中に差し込まれた部分の口紅を押し出し、完全に口紅を使い切ることを実現する。
【課題を解決するための手段】
【０００５】本発明の、口紅容器の構造は外から中心へ、内側の管壁に螺旋溝付きの外層管、垂直溝がある中層回転管、一番内側には口紅を設置する固定杯。外層管と中層回転管は相対回転が可能で、中層回転管の底部が底座に固定し底座を回転すると、固定杯が中層回転管の内側管壁に沿って回転しながら、上下移動する。
固定杯の構造は、外側の筒と内側の底部円盤での構成である。
固定杯筒部には垂直溝があり、その垂直溝の真下に第一昇降ボタンが設置され、垂直溝下端の円弧と第一昇降ボタン上部と接している。第一昇降ボタンが中層回転管の垂直溝を通り抜け外層管の内側の螺旋溝に嵌る。
底部円盤の横表面に第二昇降ボタンが設置され、第二昇降ボタンが筒部と中層回転管の垂直溝を通り抜け外層管の内側の螺旋溝に嵌る。第二昇降ボタンが固定杯筒部の垂直溝の一番下の位置で、固定杯筒部にある第一ボタンと上下で接し垂直溝に沿って移動する。底部円盤上部の中心に口紅を固定する半楕円形の座が設置されている。
外層管は上下二段の構成で、下段の外層管の内側にある螺旋溝は第一・第二昇降ボタンが並列移動することが可能な幅である。上段の螺旋溝は第二昇降ボタンが単独で移動する幅しかありません。
中層回転管の下部を固定している底座を回転させると、第一・第二昇降ボタンが螺旋溝と垂直溝に沿って上昇し、固定杯を一番上の位置まで押し上げ、第二昇降ボタンが上段の外層管の内螺旋溝に進入すると、上段の螺旋溝の幅が第二昇降ボタンしか進入できないため、第一昇降ボタンは下段の螺旋溝の最上部、上段の外層管と下段の外層管との境界で停止する。固定杯の上昇は最高点となるために停止して、その時点から上段の螺旋外管を逆の方向に回転し、底部円盤の第二昇降ボタンが固定杯筒部にある垂直溝に沿って上昇することで、底部円盤が固定杯の内壁に沿って固定杯の上部まで上昇し、固定杯内の口紅を完全に押し出す。
【発明の効果】
【０００６】本発明の口紅容器、従来の一体式の固定杯を分離式に、一体式の外層管を二段式に、下段の外層の作用は従来の口紅容器と同じで、上段の外層管が固定杯の底部円盤を持ち上げることで固定杯内の残存部分の口紅を全部押し出し、完全に使い切ることを実現する。
【図面の簡単な説明】
【０００７】
【図１】本発明の基本構造図
【図２】本発明外層管の構造展開図
【図３】本発明外層管の立体構造図
【図４】本発明中層回転管の構造展開図
【図５】本発明中層回転管と底座組み合わせた立体構造図
【図６】本発明固定杯壁構造正面図
【図７】本発明固定杯立体構造図
【図８】本発明固定杯底盤構造正面図
【図９】本発明固定杯底部円盤立体構造図
【図１０】本発明固定杯の組み立て立体構造図
【図１１】本発明操作中昇降ボタン移動過程図
【発明を実施するための形態】
【０００８】従来一体になっている口紅固定杯を筒部と底部円盤の分離式にし、紅を筒部と筒部内側にある底部円盤を組み合わせて出来た空間で固定し、従来一体になっていた外層管を上段と下段の二段式にした。
中層回転管の下部が底座と固定している。
最初の使用段階では、中層回転管（底座）を回転すると、固定杯と底部円盤が一つの部品として、従来の固定杯の様な中層回転管に沿って上昇する。第一・第二昇降ボタンの接線が上・下外層管の境線に重なる位置に到達すると、上段の外層管内側の螺旋溝の幅は底部円盤の第二昇降ボタンしか進入することが出来ず、固定杯筒部にある第一昇降ボタンが下段の螺旋溝の頂点で停留される、その時、上段の外層管を逆方向へ回転すると、固定杯の底部円盤が固定杯の筒部に沿って上昇し、固定杯の中に差し込んでいた紅を完全に押し出し使いきることを実現する。
外層管上段が外れ落ちないために、上段の外層管の最上端の内壁に環状の固定溝設置し、中層回転管の外側、固定溝と対応する位置で固定ボタンを設置し、固定溝に嵌め込む、外層管全体を固定する。
外層管の固定方法は色々、中層回転管の上縁の外側に小さい横突起を作り、外層管の上端を抑え、外層管全体を固定する方法もある。
中層回転管の垂直溝の両端「Ｚ」の字のような長さは固定ボタンの直径ぐらいの横溝を開け、口紅を確実に最高点と最低点とで安定した状態で停留させる。その為、垂直溝の下端の横溝は第一・第二ボタンが並列で移動することが出来る幅で、垂直溝の上端の横溝は第二ボタンだけが移動することが出来る幅である。
外層管下段の溝の傾斜度は上段の傾斜度より大きい。この傾斜率の違いで口紅を押し出すスピードのコントロールができる。
固定杯筒部の外壁、垂直溝の真下に第一昇降ボタンが設置され、垂直溝下端の円弧と第二昇降ボタンと接している。第二昇降ボタンが固定杯の内壁から垂直溝の最低点を通り抜け、第一昇降ボタンと接する。固定杯が最高点まで上昇すると上・下段外層管間の境線は第一・第二昇降ボタンの接線と重なる。
固定杯の外壁にある第一昇降ボタンと底部円盤外側にある第二昇降ボタンの直径は同じで、円心は同一垂直線上にあり、これで第一・第二ボタンは垂直溝で同時に昇降することが出来る。
中層回転管と固定杯壁の垂直溝の幅は同じで、第一・第二昇降ボタンは丁度溝に嵌り込み、動きの正確性と安定性が確保される。
底部円盤の中心にある口紅を安定に固定する半楕円体の固定座で、固定杯内の紅を押し出した時、紅の安定性を確保する。座の形は半楕円体などと特に決まりがなく、鋭利な輪郭、角などがない形で紅をしっかり固定することが出来る。どんな方向で塗っても座にある紅を使い切ることができる。
本発明固定杯底部円盤の高さは固定杯全体の約１／３である。
【符号の説明】
【０００９】１−固定杯  １１−杯壁  １１１−第一昇降ボタン  １１２−垂直溝  １２−底部円盤
１２１−第二昇降ボタン      １２２−口紅固定座      ２−中層回転管
２１−垂直溝      ２２−固定ボタン      ３−外層螺旋管      ３１−上段螺旋管
３１１−内螺旋溝    ３１２−定位溝    ３２−下段螺旋管    ３２１−内螺旋溝
Ａ−分界線（境線）    ４−底座    ５−口紅
【図１】
2013165942.tif 000003
【図２】
2013165942.tif 000004
【図３】
2013165942.tif 000005
【図４】
2013165942.tif 000006
【図５】
2013165942.tif 000007
【図６】
2013165942.tif 000008
【図７】
2013165942.tif 000009
【図８】
2013165942.tif 000010
【図９】
2013165942.tif 000011
【図１０】
2013165942.tif 000012
【図１１】
2013165942.tif 000013